(57)【特許請求の範囲】
【請求項１】
自動車の内装トリムと間隔部を有して対面するボディパネルとを夫々穿設させた内装トリム穴とボディパネル穴とに取着して紐状物等の被係着物を係着させるユーティリティフックであって、前記内装トリム穴に挿通させるワッシャ部材と、該ワッシャ部材の頂部に基部を嵌合させるフック部材と、該フック部材とワッシャ部材とに貫通させる固定用ボルトと、該固定用ボルトの外周に周設させると共に内装トリムとボディパネルとの間隔部に内装するパイプスペーサーと、前記ボディパネル穴を貫通した固定用ボルトの先端に螺着する固定用ナットとから成り、前記ワッシャ部材は前記内装トリム穴に挿通させるとともに中心に前記固定用ボルトを貫通させるワッシャ部材貫通孔を有した円筒状のワッシャ部材胴周部と、該ワッシャ部材胴周部の基端に段部を介して延設した筒状基部と、前記ワッシャ部材胴周部の先端に周方向に膨出させた傘状押え部と、該傘状押え部の頂部に形成した前記フック部材を嵌合させる環状嵌合溝を備えると共に、前記フック部材は円筒状のフック部材胴周部と、該フック部材胴周部の基部に形成した前記環状嵌合溝に嵌入させると共に中心に前記固定用ボルトを貫通させるフック部材貫通孔を有した内フランジ部と、前記フック部材胴周部の先端に周方向に膨出させた傘状係止部と、該傘状係止部に形成した被係着物を係着する開口部と弧状部を有した略Ｙ字状の複数の溝状の被係着物用挿通部とを備えたことを特徴するユーティリティフック。
【請求項２】
前記ワッシャ部材の筒状基部を挿通させる中心穴を備えた平ワッシャ状の点灯ユニット基板を備え、該点灯ユニット基板に電源と電気的に接続させた発光ダイオードを付設させたことを特徴する請求項１に記載のユーティリティフック。
【請求項３】
前記フック部材のフック部材胴周部の内側にキャップ部材を埋設し、該キャップ部材の頂部側へは略半球状の凹陥部を形成したことを特徴とする請求項１又は請求項２に記載のユーティリティフック。
【発明の詳細な説明】
【０００１】
【発明の属する技術分野】
本発明はワンボックスカー、ライトバン等の後部座席の後や、乗用車のトランク等に荷物を載せる場合に、仕切りをしたり、固定させるために張設するネットや紐状の被係着物等を係着させるための自動車に取着するユーティリティフックに関するものである。
【０００２】
【従来技術】
従来、この種のユーティリティフックは既に開発され自動車の内装トリムに取着されて使用されているが、図５に図示する如く、フック部材に設けられている被係着物を係着させるための係着部は略Ｃ字状に湾曲させた金具の両端に枢動軸を相対させた状態で設け、該枢動軸をフック部材に挿通させて、金具を枢動させる構造のものであった。
【０００３】
【解決しようとする課題】
その為に、ユーティリティフックの金具とフック部材との間に紐状の被係着物の端を挿通させて、更に、縛らなければならず手間暇係るものであり、更に、取着したユーティリティフックの金具が剥き出しと成っており不格好であり、更には、ユーティリティフックを利してアクセサリーを飾ったり、電飾を施すことは不可能であった。
【０００４】
【課題を解決するための手段】
本発明は上述の課題に鑑み、鋭意研鑚の結果、内装トリムと間隔部を有して対面するボディパネルとを穿設させた内装トリム穴とボディパネル穴とに取着させるユーティリティフックであって、内装トリム穴に挿通させるワッシャ部材と、ワッシャ部材の頂部に嵌合させるフック部材と、フック部材とワッシャ部材とに貫通させる固定用ボルトと、固定用ボルトに周設させると共に内装トリムとボディパネルとの間隔部に内装するパイプスペーサーと、ボディパネル穴を貫通した固定用ボルトに螺着する固定用ナットとから成り、ワッシャ部材は内装トリム穴に挿通させるとともに固定用ボルトを貫通させるワッシャ部材貫通孔を有したワッシャ部材胴周部と、ワッシャ部材胴周部に段部を介して延設した筒状基部と、ワッシャ部材胴周部に膨出させた傘状押え部と、傘状押え部に形成したフック部材を嵌合させる環状嵌合溝を備えると共に、フック部材は円筒状のフック部材胴周部と、フック部材胴周部に形成した環状嵌合溝に嵌入させるともに中心に固定用ボルトを貫通させるフック部材貫通孔を有した内フランジ部と、フック部材胴周部に膨出させた傘状係止部と、傘状係止部に形成した被係着物を係着する開口部と弧状部を有した略Ｙ字状の複数の被係着物用挿通部とを備えたものであり、更に、ワッシャ部材の筒状基部を挿通させる中心穴を備えた平ワッシャ状の点灯ユニット基板を備え、点灯ユニット基板に発光ダイオードを付設させたものであり、加えて、フック部材のフック部材胴周部にキャップ部材を埋設し、キャップ部材の頂部側へは凹陥部を形成したものである。
【０００５】
【作用】
本発明の内装トリム穴に取着されるユーティリティフックは、フック部材胴周部に膨出させた傘状係止部に開口部と弧状部を有した略Ｙ字状の複数の溝状の被係着物用挿通部を備えたものであり、被係着物用挿通部に紐状の被係着物を開口部から横方向に移動させて挿入できるもので係着が容易なものであり、更に、発光ダイオードを点灯ユニット基板に設けたことにより、イルミネーション効果を付加することができ、更には、フック部材のフック部材胴周部の内側にキャップ部材を埋設したことにより、金属製の固定用ボルトの頭部を隠すことができ、加えて、略半球状の凹陥部を形成したことにより、凹陥部に挿入させる球状の基部を有したアクセサリー等を容易に取着することを可能としたものである。
【０００６】
従って、本発明の目的は、被係着物の係着を容易とすると共に、固定用ボルトの頭部を隠すことによりスマートで、更には、イルミネーション効果と装飾効果を有するユーティリティフックに創達し、これを提供する目的である。
【０００７】
【発明の実施の形態】
斯る目的を達成した本発明のユーティリティフックを以下実施の形態の図面によって説明する。
【０００８】
図１は本発明のユーティリティフックの実施の形態の説明のための概要断面図であり、図２は本発明のユーティリティフックの実施の形態の分解斜視図であり、図３は本発明のユーティリティフックの実施の形態のフック部材の平面図であり、図４は本発明のユーティリティフックの実施の形態のフック部材の側面図であり、図５は従来のユーティリティフックの説明のための概要断面図である。
【０００９】
本発明はワンボックスカー、ライトバン等の後部座席の後や、乗用車のトランク等に荷物を載せる場合に、仕切りをしたり、固定させるために張設するネットや紐状の被係着物等を係着させるための自動車の内装トリムＡに取着するユーティリティフックに関するものであり、請求項１に記載のユーティリティフックは、自動車の内装トリムＡと間隔部Ｃを有して対面するボディパネルＢとを夫々穿設させた内装トリム穴Ａａとボディパネル穴Ｂａとに取着して紐状物等の被係着物（図示しない）を係着させるユーティリティフックであって、前記内装トリム穴Ａａに挿通させるワッシャ部材１と、該ワッシャ部材１の頂部に基部を嵌合させるフック部材２と、該フック部材２とワッシャ部材１とに貫通させる固定用ボルト３と、該固定用ボルト３の外周に周設させると共に内装トリム４とボディパネルＢとの間隔部Ｃに内装するパイプスペーサー４と、前記ボディパネル穴Ｂａを貫通した固定用ボルト３の先端に螺着する固定用ナット５とから成り、前記ワッシャ部材１は前記内装トリム穴Ａａに挿通させるとともに中心に前記固定用ボルト３を貫通させるワッシャ部材貫通孔１ｂを有した円筒状のワッシャ部材胴周部１ａと、該ワッシャ部材胴周部１ａの基端に段部１ｃを介して延設した筒状基部１ｄと、前記ワッシャ部材胴周部１ａの先端に周方向に膨出させた傘状押え部１ｅと、該傘状押え部１ｅの頂部に形成した前記フック部材２を嵌合させる環状嵌合溝１ｆを備えると共に、前記フック部材２は円筒状のフック部材胴周部２ａと、該フック部材胴周部２ａの基部に形成した前記環状嵌合溝１ｆに嵌入させると共に中心に前記固定用ボルト３を貫通させるフック部材貫通孔２ｂを有した内フランジ部２ｃと、前記フック部材胴周部２ａの先端に周方向に膨出させた傘状係止部２ｄと、該傘状係止部２ｄに形成した被係着物を係着する開口部２ｅと弧状部２ｆを有した略Ｙ字状の複数の溝状の被係着物用挿通部２ｇとを備えたものである。
【００１０】
更に、請求項２に記載のユーティリティフックは、請求項１に記載のユーティリティフックにおいて、前記ワッシャ部材１の筒状基部１ｄを挿通させる中心穴６ａを備えた平ワッシャ状の点灯ユニット基板６を備え、該点灯ユニット基板６に電源と電気的に接続させた発光ダイオード６ｂを付設させたものである。
【００１１】
加えて、請求項３に記載のユーティリティフックは、請求項１又は請求項２に記載のユーティリティフックにおいて、前記フック部材２のフック部材胴周部２ａの内側にキャップ部材７を埋設し、該キャップ部材７の頂部側へは略半球状の凹陥部７ａを形成したものである。
【００１２】
即ち、本発明のユーティリティフックは、図１に図示する如く、ワンボックスカー、ライトバンの荷台、或いは、乗用車のトランクの内側の内装トリムＡに内装トリム穴Ａａを穿設して取着するものであり、通常、内装トリムＡは嵌め込み、又は、ビス止め等によって止められており、更に、その外側には間隔Ｃ部を有してボディパネルｂが設けられており、該ボディパネルｂの内装トリム穴Ａａと対面する位置にはボディパネル穴Ｂａを穿設するものである。
【００１３】
そして、ワッシャ部材１はワッシャ部材胴周部１ａと筒状基部１ｄと傘状押え部１ｅから成り、ワッシャ部材胴周部１ａは中心に後述する固定用ボルト３を貫通させるワッシャ部材貫通孔１ｂを貫設させており、ワッシャ部材胴周部１ａの外周部を内装トリム穴Ａａに挿通させるものである。
【００１４】
次いで、ワッシャ部材胴周部１ａの基端には段部１ｃを介して縮径させて後述するパイプスペーサー４に挿通させる短筒状の筒状基部１ｄを延設させており、先端には傘状押え部１ｅを周方向に膨出させているものであり、傘状押え部１ｅの下面は内装トリム穴Ａａに挿通させたとき、内装トリム穴Ａａの近傍に当接するもので、先端には後述するフック部材２を嵌合させる環状嵌合溝１ｆを形成しており、若干の可撓性を有する合成樹脂等で形成することが望ましいものである。
【００１５】
更に、フック部材２は円筒状のフック部材胴周部２ａと、フック部材胴周部２ａの基部に形成した内フランジ部２ｃと、フック部材胴周部２ａの先端に傘状係止部２ｄから成るものである。
【００１６】
そして、フック部材胴周部２ａは筒状のものであり、フック部材胴周部２ａの基部には内フランジ部２ｃを延設させているもので、内フランジ部２ｃは前記ワッシャ部材１の先端に形成した環状嵌合溝１ｆに嵌入させると共に、中心には固定用ボルト３を貫通させるフック部材貫通孔２ｂを有しているものである。
【００１７】
更には、傘状係止部２ｄはフック部材胴周部２ａの先端に周方向に膨出させているもので、図２乃至図４に図示するように、開口部２ｅと弧状部２ｆを有した複数の略Ｙ字状の被係着物を係着する被係着物用挿通部２ｇを備えているものであり、つまり、開口部２ｅを相対する２方向に設け、該開口部２ｅの中心側に分岐部を設け、略Ｙ字状に分岐させ、円周に沿った弧状部２ｆを有しているものであり、図示する実施の形態では２方向に設けたものであるが、３方向或いはそれ以上でも構わないもので、更に、フック部材２は軽金属類又は硬質合成樹脂で形成されることが好適なものである。
【００１８】
本発明のユーティリティフックの取付けは、先ず、内装トリムＡに穿設した内装トリム穴Ａａにワッシャ部材１を挿通させると共に、ワッシャ部材１に段部１ｃを介して延設した筒状基部１ｄにパイプスペーサー４を挿通させ、ワッシャ部材１の頂部に備えた環状嵌合溝１ｆにフック部材２の基部に形成した内フランジ部２ｃを嵌合させ、フック部材２のフック部材胴周部２ａの内側に固定用ボルト３を挿通させるものである。
【００１９】
前記固定用ボルト３は頭部の下面でフック部材２の内フランジ部２ｃの上面に当接すると共に、ワッシャ部材１とパイプスペーサー４とを貫通し、更に、ボディパネルＢに穿設したボディパネル穴Ｂａを貫通しているもので、ボディパネル穴Ｂａから突出した固定用ボルト３の螺子部に固定用ナット５を螺着して取付けているものである。
【００２０】
そして、前述のように取付けたユーティリティフックのフック部材２の傘状係止部２ｄに備えた複数の被係着物用挿通部２ｇに開口部２ｅから紐状の被係着物を横後方に移動させ、更に、弧状部２ｆに沿って奥まで移動させることによって容易に係着させることができるものであり、紐状の被係着物が環状に取り付けられているものであれば、複数の被係着物用挿通部に挿通させることで係着でき、更に、紐状の被係着物が基端が被係着物に取り付けられ先端が自由端と成っているものであれば、先端に固定用のこぶし、又は、被係着物用挿通部よりサイズの大きい固定具を取り付けたものであれば容易に係着できるものある。
【００２１】
更には、本発明では、点灯ユニットを備えているもので、ワッシャ部材１の筒状基部１ｄに中心穴６ａを備えた平ワッシャ状の点灯ユニット基板６を挿通させると共にパイプスペーサー４で保持させ、点灯ユニット基板６には電源と電気的に接続させた発光ダイオード６ｂを付設させているもので、ワッシャ部材１を透明又は半透明の部材で形成することにより、発光ダイオード６ｂを点灯させた明かりを外部から認識させ、イルミネーション効果を有するものである。
【００２２】
加えて、フック部材２のフック部材胴周部２ａの内側にキャップ部材７を埋設するもので、キャップ部材７の頂部側へは略半球状の凹陥部７ａを形成しているものであり、つまり、キャップ部材は先に挿通させた固定ボルト３の頭部を隠すと共に、略半球状の凹陥部７ａに球状の基部を嵌入させて、基部より花、動物、キャラクター等を突設させたアクセサリーを装飾させるものである。
【００２３】
【発明の効果】
本発明のユーティリティフックは、前述の構成により、フック部材胴周部に膨出させた傘状係止部に開口部と弧状部を有した略Ｙ字状の複数の溝状の被係着物用挿通部を備えたものであり、被係着物用挿通部に紐状の被係着物を開口部から横方向に移動させて挿入できるもので係着が容易なものであり、更に、発光ダイオードを点灯ユニット基板に設けたことにより、イルミネーション効果を付加することができ、更には、フック部材のフック部材胴周部の内側にキャップ部材を埋設したことにより、金属製の固定用ボルトの頭部を隠すことができ、加えて、略半球状の凹陥部を形成したことにより、凹陥部に挿入させる球状の基部を有した例えば花の様なアクセサリーを容易に取着することを可能としたものであリ、画期的で実用性の高い発明である。
【図面の簡単な説明】
【図１】図１は本発明のユーティリティフックの実施の形態の説明のための概要断面図である。
【図２】図２は本発明のユーティリティフックの実施の形態の分解斜視図である。
【図３】図３は本発明のユーティリティフックの実施の形態のフック部材の平面図である。
【図４】図４は本発明のユーティリティフックの実施の形態のフック部材の側面図である。
【図５】図５は従来のユーティリティフックの説明のための概要断面図である。
【符号の説明】
Ａ      内装トリム
Ａａ    内装トリム穴
Ｂ      ボディパネル
Ｂａ    ボディパネル穴
Ｃ      間隔部
１      ワッシャ部材
１ａ    ワッシャ部材胴周部
１ｂ    ワッシャ部材貫通孔
１ｃ    段部
１ｄ    筒状基部
１ｅ    傘状押え部
１ｆ    環状嵌合溝
２      フック部材
２ａ    フック部材胴周部
２ｂ    フック部材貫通孔
２ｃ    内フランジ部
２ｄ    傘状係止部
２ｅ    開口部
２ｆ    弧状部
２ｇ    被係着物用挿通部
３      固定用ボルト
４      パイプスペーサー
５      固定用ナット
６      点灯ユニット基板
６ａ    中心穴
６ｂ    発光ダイオード
７      キャップ部材
７ａ    凹陥部
【図１】
0004442021.tif 000002
【図２】
0004442021.tif 000003
【図３】
0004442021.tif 000004
【図４】
0004442021.tif 000005
【図５】
0004442021.tif 000006